(57)【要約】【課題】昇降棚の昇降を楽に行え、カウンタのバックガードに設けられたカラン等に接触しないように昇降する昇降収納装置を提供する。【解決手段】下部が開口した収納箱体１と、該収納箱体１の側板１３の内側面に設けられたレール２に取り付けられる昇降棚３とからなり、上記収納箱体１の正面は天板１１にヒンジ結合された扉１２によって回動自在に覆われ、上記レール２は下方が手前となるように傾斜して設けられるとともに、上記昇降棚３はその側板３１の外側面に突設された係合部４が上記レール２にスライド係合して斜め方向に昇降する昇降収納装置。【選択図】図１
2006320446.tif 000002
【特許請求の範囲】
【請求項１】
下部が開口した収納箱体と、該収納箱体の側板の内側面に設けられたレールに取り付けられる昇降棚とからなり、上記収納箱体の正面は天板にヒンジ結合された扉によって回動自在に覆われ、上記レールは下方が手前となるように傾斜して設けられるとともに、上記昇降棚はその側板の外側面に突設された係合部が上記レールにスライド係合して斜め方向に昇降する昇降収納装置。
【請求項２】
上記斜設されたレールの上部は水平端部とされ、該水平端部の下部には上記係合部が係止する係止用凹部が設けられた請求項１に記載の昇降収納装置。
【請求項３】
上記レールが該収納箱体の側板の内側面に溝状に凹設された請求項１に記載の昇降収納装置。
【発明の詳細な説明】
【技術分野】
【０００１】
本発明は、キッチンや洗面化粧室等に設置され、上方に設置された箱体に昇降自在に収納される昇降棚に関する。
【背景技術】
【０００２】
従来、上記箱体と昇降棚とからなる昇降収納装置に関しては、例えば下記特許文献１に記載の、収納箱体とこの収納箱体に昇降支持機構を介して前方、かつ、下方へ移動可能に支持された昇降棚とからなる装置が知られている。
【特許文献１】特開平１０−２６２８４３号公報（第１〜３頁、第１図、第３図、第４図）
【発明の開示】
【発明が解決しようとする課題】
【０００３】
上記特許文献１に開示された昇降収納装置は、まず昇降棚を手前に引き、カウンタのバックガード近辺に設けられた水道用カランに接触しないようして下方へ降ろすことができる。しかしながら、手前に引く動作と降ろす動作とが必要となり、使用後に元の位置に戻すとき、昇降棚を持ち上げ、その後水平方向に押し込むという二つの動作をしなければならず、人間工学的に負担がかかるという問題がある。本発明はこのような問題を解決して、昇降棚の昇降を楽に行えるとともに、カウンタのバックガードに設けられたカランや壁面に取り付けられたフック類を避けて、昇降棚を直線的に引き降ろすことができる昇降収納装置を提供することをその課題とする。
【課題を解決するための手段】
【０００４】
上記課題を解決するために、本発明においては、つぎのような技術的手段を講じている。すなわち、本発明によれば、下部が開口した収納箱体と、該収納箱体の側板の内側面に設けられたレールに取り付けられる昇降棚とからなり、上記収納箱体の正面は天板にヒンジ結合された扉によって回動自在に覆われ、上記レールは下方が手前となるように傾斜して設けられるとともに、上記昇降棚はその側板の外側面に突設された係合部が上記レールにスライド係合して斜め方向に昇降する昇降収納装置が提供される。
【０００５】
上記斜設されたレールの上部は水平端部とされ、該水平端部の下部には上記係合部が係止する係止用凹部が設けられることが好ましい。また、上記レールが上記収納箱体の側板の内側面に溝状に凹設されることが好ましい。
【発明の効果】
【０００６】
請求項１に記載の発明にかかる昇降収納装置は上記のとおりであり、下部が開口した収納箱体と、該収納箱体の側板に内設されたレールに取り付けられる昇降棚とからなり、上記収納箱体の正面は天板にヒンジ結合された扉によって回動自在に覆われ、上記レールは下方が手前となるように傾斜して設けられているため、昇降棚を単に腕を屈伸させるのみで斜め方向へ直線移動させることが可能となり、かた、カウンタのバックガードに設けられたカラン等に接触させずに昇降させることができる。また、昇降動作の際、扉はその自重によって常に上記収納箱体の正面を覆うため、昇降棚の昇降と扉の開閉とを同時並行的に行うことができる。
【０００７】
上記斜設されたレールの上部は水平端部とされ、該水平端部の下部には上記係合部が係止する係止用凹部が設けられているため、昇降棚が収納箱体に収納される通常の状態においては上記係止用凹部に係合部が係止し、昇降棚がしっかりとレールによって支持される。
【０００８】
上記レールが収納箱体の側板の内側面に溝状に凹設されるため、例えば収納箱体を合成樹脂から一体成形するとき、レールも同時に形成することができる。また、側板の内側面も面一となり見映えよくレールを設けることができる。
【発明を実施するための最良の形態】
【０００９】
以下、本発明の実施形態について図面を参照して、詳細に説明する。図１は、本発明にかかる昇降収納装置を示す一部破断分解斜視図である。図１からよくわかるように、上記昇降収納装置は収納箱体１と昇降棚３とからなり、収納箱体１は下部が開口し、天板１１の前縁には扉１２が正面を覆うように回動自在にヒンジ結合されている。また、収納箱体１の側板１３の内側面には、レール２が下方が手前となるように傾斜して設けられ、このレール２に昇降棚３の側板３１の外側面に突設された係合部４が係合することによって、昇降棚３は斜め方向にスライドして昇降するように取り付けられている。上記昇降棚３の底面には、昇降棚３を引き降ろすとき、あるいは元の位置に戻すときに用いる把手５が設けられている。
【００１０】
図２は、図１におけるＡ−Ａ線に沿う側断面図である。図１、図２に示すように、下方が手前となるように傾斜したレール２は収納箱体１の側板１３の内側面に溝状に凹設され、上部は水平端部２１とされるとともに、水平端部２１の下部には上記昇降棚３の側板３１の外側面に突設された係合部４が係止する係止用凹部２１１が設けられている。なお、符号６は扉１２を天板１１にヒンジ結合するためのヒンジを示す。
【００１１】
図３は、上記昇降棚３を収納箱体１に収納する動作を示す説明図である。図３に示すように、矢印に沿って把手５を腕の屈伸によって斜め下方に引き降ろせば、収納棚３を簡単に使用位置まで下げることができる。このとき、収納棚３は降下するとともに手前に出てくるため、その正面上部が扉１２の裏面に当接して押し、ヒンジ６によって天板１１に回動自在にヒンジ結合された扉１２は、図３に示すように収納箱体１の正面を覆う。一旦引き降ろされ、使用された昇降棚３は矢印に沿って把手５を斜め上方に押し上げて元の位置に戻せるとともに、扉１２は自重によって正面を覆うように閉まる。
【００１２】
昇降棚３が収納箱体１に収納された状態においては、係合部４はレール２の水平端部２１の下部に凹設された係止用凹部２１１に係合してしっかりと支持される。以上述べたように、本発明の昇降収納装置を用いることにより、上記昇降棚３を収納箱体１に収納する動作と収納箱体１の正面を扉１２で覆う動作をワンアクションで、人間工学的に楽に行うことができる。
【図面の簡単な説明】
【００１３】
【図１】本発明にかかる昇降収納装置を示す一部破断分解斜視図である。
【図２】図１におけるＡ−Ａ線に沿う側断面図である。
【図３】本発明にかかる昇降棚を収納箱体に収納する動作を示す説明図である。
【符号の説明】
【００１４】
１          収納箱体
１１        天板
１２        扉
１３        側板
２          レール
２１        水平端部
２１１      係止用凹部
３          昇降棚
３１        側板
４          係合部
５          把手
６          ヒンジ
【図１】
2006320446.tif 000003
【図２】
2006320446.tif 000004
【図３】
2006320446.tif 000005